(57)【要約】【課題】必要な設定とは関係のない選択肢を選択してしまうことを防止する。また、どの選択肢を選択すればよいのかの把握を容易にする。【解決手段】第１のリモコンのキースイッチ数より少ない数のキースイッチが設けられた第２のリモコン２２からの信号を受信したときの対応と、第１のリモコン２１からの信号を受信したときの対応とが、一部において異なるコントロール対象装置１を備えている。そして、第１のリモコンからの信号を受信したときには第１のリモコン対応画面を、第２のリモコンからの信号を受信したときには第２のリモコン対応画面を表示する。そして、第２のリモコン対応画面において表示される選択肢の数を、第１のリモコン対応画面において表示される選択肢の数より少なくしている。【選択図】  図１
2006332866.tif 000002
【特許請求の範囲】
【請求項１】
所定数のキースイッチが設けられ、キースイッチが操作されたときには第１のリモートコントロール信号を送信する第１のリモートコントローラと、
第１のリモートコントローラのキースイッチ数より少ない数のキースイッチが設けられ、キースイッチが操作されたときには第２のリモートコントロール信号を送信する第２のリモートコントローラと、
第１のリモートコントロール信号を受信したときの対応と第２のリモートコントロール信号を受信したときの対応とが、少なくとも一部において異なる対応となるコントロール対象装置とを備えたリモートコントロール装置において、
コントロール対象装置は、
第１のリモートコントロール信号を受信したときには表示装置に第１のリモコン対応画面を表示し、第２のリモートコントロール信号を受信したときには表示装置に第２のリモコン対応画面を表示するリモコン対応画面表示手段と、
映像音声情報が記録された記録媒体を再生する再生手段とを備え、
第２のリモコン対応画面において表示され、第２のリモートコントローラにより選択されるときの対象となる選択肢の数を、第１のリモコン対応画面において表示され、第１のリモートコントローラにより選択されるときの対象となる選択肢の数より少なくし、
且つ、第１のリモコン対応画面においては選択肢として表示されるとともに第２のリモコン対応画面においては選択肢として表示されない設定項目のうちの所定の設定項目の設定値については、第２のリモートコントロール信号に従った動作時では初期値を設定値として用い、第１のリモートコントロール信号に従った動作時では第１のリモートコントローロール信号によって設定された値を設定値として用い、
且つ、第２のリモコン対応画面においては選択肢は横方向に並んで表示され、
第２のリモートコントローラは、
再生手段に速戻しを指示する速戻しキーと速送りを指示する速送りキーとを備え、
前記横方向に並んで表示された選択肢のうち、選択状態となる選択肢は、第２のリモートコントローラの速送りキーの操作と速戻しキーの操作とに応じて移動し、
前記所定の設定項目は初期値が汎用的な値となっている設定項目であることを特徴とするリモートコントロール装置。
【請求項２】
所定数のキースイッチが設けられ、キースイッチが操作されたときには第１のリモートコントロール信号を送信する第１のリモートコントローラと、
第１のリモートコントローラのキースイッチ数より少ない数のキースイッチが設けられ、キースイッチが操作されたときには第２のリモートコントロール信号を送信する第２のリモートコントローラと、
第１のリモートコントロール信号を受信したときの対応と第２のリモートコントロール信号を受信したときの対応とが、少なくとも一部において異なる対応となるコントロール対象装置とを備えたリモートコントロール装置において、
コントロール対象装置は、第１のリモートコントロール信号を受信したときには表示装置に第１のリモコン対応画面を表示し、第２のリモートコントロール信号を受信したときには表示装置に第２のリモコン対応画面を表示するリモコン対応画面表示手段を備え、
第２のリモコン対応画面において表示され、第２のリモートコントローラにより選択されるときの対象となる選択肢の数を、第１のリモコン対応画面において表示され、第１のリモートコントローラにより選択されるときの対象となる選択肢の数より少なくしたことを特徴とするリモートコントロール装置。
【請求項３】
第１のリモコン対応画面においては選択肢として表示されるとともに第２のリモコン対応画面においては選択肢として表示されない設定項目のうちの所定の設定項目の設定値については、第２のリモートコントロール信号に従った動作時では初期値を設定値として用い、第１のリモートコントロール信号に従った動作時では第１のリモートコントロール信号によって設定された値を設定値として用いることを特徴とする請求項２に記載のリモートコントロール装置。
【請求項４】
第２のリモコン対応画面においては選択肢は横方向に並んで表示され、
コントロール対象装置は、映像音声情報が記録された記録媒体を再生する再生手段を備え、
第２のリモートコントローラは、再生手段に速戻しを指示する速戻しキーと速送りを指示する速送りキーとを備え、
前記横方向に並んで表示された選択肢のうち、選択状態となる選択肢は、第２のリモートコントローラの速送りキーの操作と速戻しキーの操作とに応じて移動することを特徴とする請求項２または請求項３に記載のリモートコントロール装置。
【発明の詳細な説明】
【技術分野】
【０００１】
本発明は、キースイッチの数が異なる２種のリモートコントローラを備えたリモートコントロール装置に係り、より詳細には、キースイッチの数を少なくしたリモートコントローラを操作したときには、表示される選択肢の数が少なくなるリモートコントロール装置に関する。
【背景技術】
【０００２】
ＤＶＤに番組を記録可能なＤＶＤレコーダにおいては、再生のための種々の設定、録画のための種々の設定、時刻やチャンネルの設定等、極めて多数の設定が可能となっている。このため、リモートコントローラに設けられるキースイッチも多く、且つ、設定のための画面も、階層的となっていて、複雑化している。しかし、これらの機能を使用することもなく、単に電源のオンオフ、チャンネルの切り換え、録画の開始と停止、再生の開始と停止、等のような、少数の機能のみしか使用しないユーザも多い。このため、多数のキースイッチが設けられたリモートコントローラを使用すると、よく分からないままにキースイッチを操作するようなことも生じ、元の設定状態に戻せなくなるという、困った事態を招くことが多い。
【０００３】
このため、以下に示す技術が提案されている（第１の従来技術とする）。すなわち、この技術では、機能の全てを操作するために必要とするキースイッチが設けられたリモートコントローラを備えている。を設けている。また、これらのキースイッチは、その一部が蓋によって覆われるということもなく、いつでも全てが操作可能となるように設けられている。その一方で、リモートコントローラからの信号を受信する側において２種のモードを設け、一方のモードとなるときでは全てのキー操作を受け付け、他方のモードとなるときでは、簡易機能用として設定されたキースイッチの操作のみを受け付けるようになっている。従って、他方のモードとするときでは、誤った設定等が行われるという事態の発生が防止される（例えば、特許文献１参照）。
【０００４】
また、以下に示す技術が提案されている（第２の従来技術とする）。すなわち、この技術では、第１のリモコン送信器および第２のリモコン送信器の２台のリモコン送信器を設けている。そして、第１のリモコン送信器には、機能の全てを操作可能とするために多数のキースイッチを設け、第２のリモコン送信器には、機能の一部に対応する少数のキースイッチのみを設けている。従って、第２のリモコン送信器を用いるときでは、操作は簡単となる（例えば、特許文献２参照）。
【特許文献１】特開平１０−１２６６３９号公報
【特許文献２】特開平２−２６６７９４号公報
【発明の開示】
【発明が解決しようとする課題】
【０００５】
しかしながら、ＤＶＤレコーダでは、例えば、ビデオモードとＶＲモードとの切り換え等のように、モードの切り換えを省略すると、後になって不便となるような事態の生じることがあり、いくつかの設定については、簡易型とするときにも、その時々の都合に応じて、設定値を切り換える必要がある。一方、このような設定は、多種の設定のうちの一部として行うようになっているため、設定時に表示される選択肢が多く、どの選択肢を指定すればよいのかが分からなくて困ってしまったり、必要な設定とは関係のない部分の設定を変更してしまう、という事態を招いていた。
【０００６】
本発明は、上記の問題点を解決するため創案されたものであり、その目的は、必要な設定とは関係のない選択肢を選択してしまうことを防止できるとともに、どの選択肢を選択すればよいのかの把握を容易にすることのでき、且つ、装置に熟知するユーザが特別の設定を行っているときにも、通常に要求される動作を好適に行わせることのでき、且つ、第２のリモートコントローラにおけるキースイッチの増加を抑制することのできるリモートコントロール装置を提供することにある。
【０００７】
また本発明の目的は、第２のリモートコントローラに設けられたキースイッチの数を第１のリモートコントローラに設けられたキースイッチの数より少なくするとともに、第２のリモートコントローラにより選択されるときの対象となる選択肢の数を、第１のリモートコントローラにより選択されるときの対象となる選択肢の数より少なくすることによって、必要な設定とは関係のない選択肢を選択してしまうことを防止できるとともに、どの選択肢を選択すればよいのかの把握を容易にすることのできるリモートコントロール装置を提供することにある。
【０００８】
また、上記目的に加え、所定の設定項目については、第２のリモートコントロール信号に従った動作時では初期値を設定値として用い、第１のリモートコントロール信号に従った動作時では第１のリモートコントロール信号によって設定された値を設定値として用いることにより、装置に熟知するユーザが特別の設定を行っているときにも、通常に要求される動作を行わせることのできるリモートコントロール装置を提供することにある。
【０００９】
また、上記目的に加え、第２のリモートコントローラに速戻しキーと速送りキーとを備え、速戻しキーと速送りキーとによって、選択状態となる選択肢を変更可能とすることにより、第２のリモートコントローラにおけるキースイッチの増加を抑制することのできるリモートコントロール装置を提供することにある。
【課題を解決するための手段】
【００１０】
上記の課題を解決するため、本発明に係るリモートコントロール装置は、所定数のキースイッチが設けられ、キースイッチが操作されたときには第１のリモートコントロール信号を送信する第１のリモートコントローラと、第１のリモートコントローラのキースイッチ数より少ない数のキースイッチが設けられ、キースイッチが操作されたときには第２のリモートコントロール信号を送信する第２のリモートコントローラと、第１のリモートコントロール信号を受信したときの対応と第２のリモートコントロール信号を受信したときの対応とが、少なくとも一部において異なる対応となるコントロール対象装置とを備えたリモートコントロール装置に適用している。そして、コントロール対象装置は、第１のリモートコントロール信号を受信したときには表示装置に第１のリモコン対応画面を表示し、第２のリモートコントロール信号を受信したときには表示装置に第２のリモコン対応画面を表示するリモコン対応画面表示手段と、映像音声情報が記録された記録媒体を再生する再生手段とを備え、第２のリモコン対応画面において表示され、第２のリモートコントローラにより選択されるときの対象となる選択肢の数を、第１のリモコン対応画面において表示され、第１のリモートコントローラにより選択されるときの対象となる選択肢の数より少なくし、且つ、第１のリモコン対応画面においては選択肢として表示されるとともに第２のリモコン対応画面においては選択肢として表示されない設定項目のうちの所定の設定項目の設定値については、第２のリモートコントロール信号に従った動作時では初期値を設定値として用い、第１のリモートコントロール信号に従った動作時では第１のリモートコントローロール信号によって設定された値を設定値として用い、且つ、第２のリモコン対応画面においては選択肢は横方向に並んで表示され、第２のリモートコントローラは、再生手段に速戻しを指示する速戻しキーと速送りを指示する速送りキーとを備え、前記横方向に並んで表示された選択肢のうち、選択状態となる選択肢は、第２のリモートコントローラの速送りキーの操作と速戻しキーの操作とに応じて移動し、前記所定の設定項目は初期値が汎用的な値となっている設定項目となっている。
【００１１】
すなわち、第２のリモートコントローラを用いた設定では、表示される選択肢が少ない。従って、通常の使用においては設定変更の必要のない選択肢の表示を取り止めることにすれば、必要な設定とは関係のない選択肢が選択されることはなくなる。また、どの選択肢を選択すればよいのかの把握も容易となる。また、第１のリモートコントローラによって設定された設定値が特別の値となるときでも、第２のリモートコントローラを使用するときでは、これらの設定値は、通常使用に適した初期値に変更される。また、選択状態となる選択肢を変更するためのキースイッチを新たに設ける必要がない。
【００１２】
また本発明に係るリモートコントロール装置は、所定数のキースイッチが設けられ、キースイッチが操作されたときには第１のリモートコントロール信号を送信する第１のリモートコントローラと、第１のリモートコントローラのキースイッチ数より少ない数のキースイッチが設けられ、キースイッチが操作されたときには第２のリモートコントロール信号を送信する第２のリモートコントローラと、第１のリモートコントロール信号を受信したときの対応と第２のリモートコントロール信号を受信したときの対応とが、少なくとも一部において異なる対応となるコントロール対象装置とを備えたリモートコントロール装置に適用している。そして、コントロール対象装置は、第１のリモートコントロール信号を受信したときには表示装置に第１のリモコン対応画面を表示し、第２のリモートコントロール信号を受信したときには表示装置に第２のリモコン対応画面を表示するリモコン対応画面表示手段を備え、第２のリモコン対応画面において表示され、第２のリモートコントローラにより選択されるときの対象となる選択肢の数を、第１のリモコン対応画面において表示され、第１のリモートコントローラにより選択されるときの対象となる選択肢の数より少なくしている。
【００１３】
すなわち、第２のリモートコントローラを用いた設定では、表示される選択肢が少ない。従って、通常の使用においては設定変更の必要のない選択肢の表示を取り止めることにすれば、必要な設定とは関係のない選択肢が選択されることはなくなる。また、どの選択肢を選択すればよいのかの把握も容易となる。
【００１４】
また、上記構成に加え、第１のリモコン対応画面においては選択肢として表示されるとともに第２のリモコン対応画面においては選択肢として表示されない設定項目のうちの所定の設定項目の設定値については、第２のリモートコントロール信号に従った動作時では初期値を設定値として用い、第１のリモートコントロール信号に従った動作時では第１のリモートコントロール信号によって設定された値を設定値として用いている。すなわち、第１のリモートコントローラによって設定された設定値が特別の値となるときでも、第２のリモートコントローラを使用するときでは、これらの設定値は、通常使用に適した初期値に変更される。
【００１５】
また、上記構成に加え、第２のリモコン対応画面においては選択肢は横方向に並んで表示され、コントロール対象装置は、映像音声情報が記録された記録媒体を再生する再生手段を備え、第２のリモートコントローラは、再生手段に速戻しを指示する速戻しキーと速送りを指示する速送りキーとを備え、前記横方向に並んで表示された選択肢のうち、選択状態となる選択肢は、第２のリモートコントローラの速送りキーの操作と速戻しキーの操作とに応じて移動する。すなわち、選択状態となる選択肢を変更するためのキースイッチを新たに設ける必要がない。
【発明の効果】
【００１６】
本発明によれば、第２のリモートコントローラを用いた設定では、表示される選択肢が少ない。従って、通常の使用においては設定変更の必要のない選択肢の表示を取り止めることにすれば、必要な設定とは関係のない選択肢が選択されることはなくなる。また、どの選択肢を選択すればよいのかの把握も容易となる。また、第１のリモートコントローラによって設定された設定値が特別の値となるときでも、第２のリモートコントローラを使用するときでは、これらの設定値は、通常使用に適した初期値に変更される。また、選択状態となる選択肢を変更するためのキースイッチを新たに設ける必要がない。このため、必要な設定とは関係のない選択肢を選択してしまうことを防止できるとともに、どの選択肢を選択すればよいのかの把握を容易にすることができ、且つ、装置に熟知するユーザが特別の設定を行っているときにも、通常に要求される動作を好適に行わせることができ、且つ、第２のリモートコントローラにおけるキースイッチの増加を抑制することができる。
【００１７】
また本発明によれば、第２のリモートコントローラを用いた設定では、表示される選択肢が少ない。従って、通常の使用においては設定変更の必要のない選択肢の表示を取り止めることにすれば、必要な設定とは関係のない選択肢が選択されることはなくなる。また、どの選択肢を選択すればよいのかの把握も容易となる。つまり、必要な設定とは関係のない選択肢を選択してしまうことを防止できるとともに、どの選択肢を選択すればよいのかの把握を容易にすることができる。
【００１８】
また、さらに、第１のリモートコントローラによって設定された設定値が特別の値となるときでも、第２のリモートコントローラを使用するときでは、これらの設定値は、通常使用に適した初期値に変更されるので、装置に熟知するユーザが特別の設定を行っているときにも、通常に要求される動作を行わせることができる。
【００１９】
また、さらに、選択状態となる選択肢を変更するためのキースイッチを新たに設ける必要がないので、第２のリモートコントローラにおけるキースイッチの増加を防止することができる。
【発明を実施するための最良の形態】
【００２０】
以下、本発明の実施の形態について図を参照して説明する。
【００２１】
図２は、本発明に係るリモートコントロール装置の一実施形態であるＤＶＤレコーダに使用される第１のリモートコントローラを示す説明図である。
【００２２】
図において、第１のリモートコントローラ（以下では、第１のリモコンと称する）２１には、全機能に対応することを可能にするだけの数（所定数）のキースイッチが設けられている。すなわち、電源のオンオフを切り換える電源キー２４１、受信するチャンネルをチャンネル番号の大きい側に移動させるチャンネルアップキー２４２、受信するチャンネルをチャンネル番号の小さい側に移動させるチャンネルダウンキー２４３が設けられている。また、装置の動作モードや受信するチャンネルや時刻等の設定モードへの移行を指示する設定キー２４４、ＤＶＤ（記録媒体）への録画を指示する録画キー２４５が設けられている。
【００２３】
また、ＤＶＤの再生等において、速戻しを指示する速戻しキー２４６、速送りを指示する速送りキー２４７、ＤＶＤの再生を指示する再生キー２４８、および、再生や速戻しや速送りの停止を指示する停止キー２４９が設けられている。また、１０個の数字キー２６１、設定時のカーソルを移動させる方向キー２６２、カーソルが位置する選択肢が選択されたことを指示する決定キー２５３が設けられている。また、スキップキー２５１，２５２、リターンキー２５３、および、その他の機能を指示するキースイッチが設けられている。そして、これらの複数のキースイッチのうちのひとつが押下されたときには、第１のリモートコントロール信号（赤外線信号であり、以下では、第１のリモコン信号と称する）を送信する。
【００２４】
図３は、実施形態が適用されたＤＶＤレコーダに使用される第２のリモートコントローラ（以下では、第２のリモコンと称する）を示す説明図である。
【００２５】
第２のリモコン２２は、使用頻度の高い、限られた機能のみを有するリモコンであり、第１のリモコン２１と同梱される。このため、第２のリモコン２２には、第１のリモコン２１のキースイッチ数より少ない数の、使用頻度の高い９個のキースイッチが設けられている。すなわち、電源のオンオフを切り換える電源キー２７１、受信するチャンネルをチャンネル番号の大きい側に移動させるチャンネルアップキー２７２、受信するチャンネルをチャンネル番号の小さい側に移動させるチャンネルダウンキー２７３が設けられている。また、設定モードへの移行を指示する設定キー２７４、ＤＶＤ（記録媒体）への録画を指示する録画キー２７５が設けられている。
【００２６】
また、ＤＶＤの再生等において、速戻しを指示する速戻しキー２７６、速送りを指示する速送りキー２７７、ＤＶＤの再生を指示する再生キー２７８、および、再生や速戻しや速送りの停止を指示する停止キー２７９が設けられている。そして、これらの複数のキースイッチのうちのひとつが押下されたときには、第２のリモートコントロール信号（赤外線信号であり、以下では、第２のリモコン信号と称する）を送信する。
【００２７】
図１は、本発明に係るリモートコントロール装置の一実施形態が適用されたＤＶＤレコーダの電気的構成を示すブロック線図である。なお、以下における説明では、第１のリモコン２１と第２のリモコン２２とについて、互いの区別が不要であるときには、リモコン２１，２２と称する。
【００２８】
チューナ部８は、マイクロコンピュータ（以下では、マイコンと称する）７から指示されたチャンネルの商用放送を受信するとともに、受信して得られたアナログ映像音声信号をＡ／Ｄ変換部６に出力する。Ａ／Ｄ変換部６は、チューナ部８から出力されるアナログ映像音声信号をデジタル映像音声信号に変換し、信号処理部３に出力する。Ｄ／Ａ変換部４は、信号処理部３より出力されるデジタル映像音声信号をアナログ映像音声信号に変換し、外部に設けられたテレビ受像機（表示装置）１３に出力する。
【００２９】
ディスクドライブ部５は、信号処理部３より出力される映像音声情報（ＶＲフォーマットによる映像音声情報、または、ビデオフォーマットによる映像音声情報、等）に対して符号化等の処理を行うことにより得られた信号を、ＤＶＤ（記録媒体）１１に記録する。また、ＤＶＤ１１に記録された映像音声情報（ＶＲフォーマットによる映像音声情報、または、ビデオフォーマットによる映像音声情報、等）を読み出し、復調とエラー訂正等の処理を行った後、信号処理部３に出力する。
【００３０】
信号処理部３は、Ａ／Ｄ変換部６から出力された映像音声情報をＭＰＥＧ２に従って圧縮処理する。そして後、圧縮処理した映像音声情報を、ＶＲフォーマットまたはビデオフォーマットに基づいて処理し、ディスクドライブ部５に出力する。また、ディスクドライブ部５より出力される映像音声情報を、ＶＲフォーマットまたはビデオフォーマットに基づいて処理した後、ＭＰＥＧ２に従って伸長処理する。そして、伸長処理により得られたデジタル映像音声情報をＤ／Ａ変換部４に出力する。
【００３１】
また、信号処理部３は、オンスクリーンディスプレイ部（以下では、ＯＳＤ部と称する）１７を用いることによって、マイコン７から指示された文字や記号等を示す信号を生成し、映像音声情報に重畳する。
【００３２】
入力回路部９は、図示されない装置本体の前面パネルに設けられた電源キー等のキースイッチや、リモコン２１，２２から送信される赤外線信号を受光する受光ユニット等を備えている。そして、リモコン２１，２２等にユーザの指示が入力されると、入力された指示をマイコン７に出力する。
【００３３】
マイコン７は、ＤＶＤレコーダとしての主要動作を制御する。すなわち、リモコン２１，２２等に入力されたユーザの指示に従い、チューナ部８が受信するチャンネルを制御する。また、ディスクドライブ部５と信号処理部３とを制御することによって、チューナ部８が受信した番組を、ＶＲフォーマットまたはビデオフォーマットによる映像音声情報としてＤＶＤ１１に記録する。
【００３４】
また、ＤＶＤ１１に記録されたＶＲフォーマットやビデオフォーマットによる映像音声情報を再生して、テレビ受像機（表示装置）１３に表示する。なお、このとき、速戻しキー２４６が操作されたときには、再生を速戻しし、速送りキー２４７が操作されたときには再生を速送りする。また、その機能の一部によってリモコン対応画面表示手段（以下では、表示手段と称する）１８を構成する。
【００３５】
表示手段１８は、第１のリモコン２１から送信される第１のリモコン信号を受信したとき、第１のリモコン信号が設定モードへの移行を指示する場合には、テレビ受像機１３に第１のリモコン対応画面を表示する。また、第２のリモコン２２から送信される第２のリモコン信号を受信したとき、第２のリモコン信号が設定モードへの移行を指示する場合には、テレビ受像機１３に第２のリモコン対応画面を表示する。
【００３６】
そして、第２のリモコン対応画面において表示され、第２のリモコン２２により選択されるときの対象となる選択肢の数については、第１のリモコン対応画面において表示され、第１のリモコン２１により選択されるときの対象となる選択肢の数よりも少なくしている。すなわち、全機能に対応する第１のリモコン２１が使用されたときでは、全ての機能に応じる選択肢を表示し、簡易型となる第２のリモコン２２が使用されたときでは、必要最少限の機能に応じる選択肢を表示する。
【００３７】
また、第２のリモコン対応画面においては選択肢は、必ず、横方向に並んで表示されるようになっている。そして、横方向に並んで表示された選択肢に関して、選択状態となる選択肢は、第２のリモコン２２の速送りキー２４７の操作と速戻しキー２４６ーの操作とに応じて移動する。
【００３８】
なお、第１のリモコン２１を用いた設定モード時の画面（第１のリモコン対応画面）においては選択肢として表示されるが、第２のリモコン２２を用いた設定モード時の画面（第２のリモコン対応画面）においては選択肢として表示されない設定項目のうち、所定の設定項目については、第２のリモコン信号に従った動作時では初期値を設定値として用い、第１のリモコン信号に従った動作時では第１のリモコン信号によって設定された値を設定値として用いるようになっている。
【００３９】
なお、前記した所定の設定項目とは、初期値が汎用的な値となっている設定項目であり、例えば、録画時に自動的にチャプタを生成するときのチャプタの時間的な長さ、あるいは、記録のビットレート（記録速度）、等となっている。一方、受信するチャンネルの設定や時刻の設定については、初期値が汎用的な値ではないので、これらの設定項目については、第１のリモコン２１によって設定された値を用いるようになっている。
【００４０】
以下に補足的な説明を行うと、ディスクドライブ部５、信号処理部３、および、Ｄ／Ａ変換部４からなるブロック２は、請求項記載の再生手段となっている。また、再生手段２、Ａ／Ｄ変換部６、チューナ部８、マイコン７、および、入力回路部９からなるブロックは、第１のリモコン信号を受信したときの対応と、第２のリモコン信号を受信したときの対応とが、少なくとも一部（設定モード時の動作）において異なる対応となるコントロール対象装置となっている。
【００４１】
また、第１のリモコン２１から送信される赤外線信号である第１のリモコン信号には、送信元が第１のリモコン２１であることを示す情報と、操作されたキースイッチを示す情報とが含まれている。また、第２のリモコン２２から送信される赤外線信号である第２のリモコン信号には、送信元が第２のリモコン２２であることを示す情報と、操作されたキースイッチを示す情報とが含まれている。このため、入力回路部９を介して、赤外線信号により示される情報が導かれたマイコン７においては、受信した赤外線信号が、第１のリモコン２１から送信されたもの（第１のリモコン信号）なのか、あるいは、第２のリモコン２２から送信されたもの（第２のリモコン信号）なのかを判別することができるようになっている。
【００４２】
図７は、実施形態の主要動作を示すフローチャートである。必要に応じて同図を参照しつつ、実施形態の動作を説明する。
【００４３】
いま、ディスクドライブ部５の再生位置にＤＶＤ（ＤＶＤ−ＲＷ）１１が収納されているとする。この状態において、第１のリモコン２１の設定キー２４４を押下すると、動作は、ステップＳ１，Ｓ２，Ｓ３と移行した後、ステップＳ８に移行する。ステップＳ８に移行すると、表示手段１８は、設定モードに移行したことを示すため、図４（Ａ）に示したように、２つのアイコン３１１，３１２を、テレビ受像機１３に選択肢として表示する。なお、アイコン３１１は、装置の設定を行うときに指定し、アイコン３１２は、ＤＶＤ１１のフォーマットやファイナライズを行うとき、等に指定する。
【００４４】
図４（Ａ）に示す表示状態において、方向キー２６２によってアイコン３１１を選択状態とした後、決定キー２５３を押下すると、テレビ受像機１３における表示は、図４（Ａ）に示す表示から、図４（Ｂ）に示す表示に変化する。すなわち、装置の設定の種類に対応する５つのアイコン３２１〜３２５が、選択肢として表示される。これらの５つのアイコン３２１〜３２５のうち、アイコン３２４は時刻合わせのときに指定される。また、アイコン３２５は、受信するチャンネルを設定するときに指定される。従って、これらのアイコン３２４，３２５によって設定される設定項目は、一度設定した後では、変更の必要のない設定項目となっている。また、その初期値は、値０または意味のない値となっていて、初期値に戻すことは利点のない設定項目となっている。
【００４５】
図４（Ｂ）に示す表示となった状態において、アイコン３２２を選択状態とした後、決定キー２５３を押下すると、テレビ受像機１３における表示は、図４（Ｃ）に示す表示に変化する。すなわち、設定項目が縦方向に並んで表示される。詳細には、表示３３１は、現在収納されているディスクがＤＶＤ−ＲＷであることを示している。また、表示３３２は、録画フォーマットの設定項目となっていて、図５に示したように、ビデオモードとＶＲモードとの２つの選択肢のうちから、一方を指定する。
【００４６】
表示３３３は、録画時に自動的に挿入されるチャプタの区切り位置の時間間隔を設定する項目であることを示しており、選択肢は、５分、１０分、１５分、３０分、および、６０分の５つとなっている。なお、この設定項目の初期値は、最も汎用的な値である１０分となっている。表示３３５は、録画予約のためのアイコンとなっていて、このアイコン３３５を選択状態として決定キー２５３を押下すると、録画予約のための表示画面に移行する（図示を省略）。
【００４７】
なお、設定項目３３４の値として１５分を選択したとする。そして後、リターンキー２５３を必要回数だけ押下することによって、設定モードを抜け出したとする。設定モードを抜け出したときには、動作は、ステップＳ８からステップＳ１に移行し、キー入力を待つループ動作に移行する。
【００４８】
上記した設定が行われた後、第２のリモコン２２の設定キー２７４を押下したとする。このときでは、動作は、ステップＳ１，Ｓ２，Ｓ３，Ｓ４と移行する。ステップＳ４に移行すると、表示手段１８は、設定モードに移行したことを示すため、図６（Ａ）に示したように、２つのアイコン３１１，３１２を、テレビ受像機１３に選択肢として表示する（この表示は、第１のリモコン２１の設定キー２４４を押下した場合と同一となっている）。すなわち、アイコン３１１は、装置の設定を行うときに指定され、アイコン３１２は、ＤＶＤ１１のフォーマットやファイナライズを行うとき、等に指定される。
【００４９】
図６（Ａ）に示す表示状態において、速戻しキー２７６や速送りキー２７７を用いて、アイコン３１１を選択状態とした後、設定モードでは再生キー（決定キーの代用キー）２７８を押下すると、テレビ受像機１３における表示は、図６（Ａ）に示す表示から、図６（Ｂ）に示す表示に変化する。このときでは、３つのアイコン３２１〜３２３が、選択肢として、横並びに表示される。すなわち、第２のリモコン２２を操作したときの画面である第２のリモコン対応画面においては、第１のリモコン２１を操作したときの画面である第１のリモコン対応画面において表示されていた５つのアイコン３２１〜３２５のうち、時刻の設定に移行するためのアイコン３２４と、受信するチャンネルの設定に移行するためのアイコン３２５とが省略された表示となる。
【００５０】
図６（Ｂ）に示す表示となった状態において、アイコン３２２を選択状態とした後、再生キー２７８を押下すると、テレビ受像機１３における表示は、図６（Ｃ）に示す表示に変化する。すなわち、２つのアイコン３５１，３５２が横方向に並んで表示され、録画をビデオモードで行うのか、ＶＲモードで行うのかを指定するのみの表示となる。
【００５１】
すなわち、第１のリモコン２１を操作したときの画面である第１のリモコン対応画面においては、アイコン３２２を指定した場合、選択肢は縦方向に並んで表示されるとともに、その数は３つとなっていたのが、第２のリモコン２２を操作したときの画面である第２のリモコン対応画面においては、選択肢は横方向に並んで表示される。また、その数は、３つから２つに低減されている。
【００５２】
従って、第２のリモコン２２を用いた場合では、アイコン３２２を指定した場合、ビデオモードとＶＲモードとの２つの選択肢のうちから、一方を選択する操作を行うのみでよく、その他の設定を行う必要がない。従って、チャプタの区切り位置の時間間隔の設定が、不用意に変更されるという事態の発生の恐れがない。また、ユーザにとっては、チャプタについて知る必要を感じなくて済ませる。
【００５３】
図６（Ｃ）の表示となっている状態において、速戻しキー２７６と速送りキー２７７とを用いて、アイコン３５１またはアイコン３５２の一方を選択状態とした後、再生キー２７８を押下して、録画のフォーマットを指定する（ＶＲモードに設定したとする）。そして後、設定の階層を上の階層に戻ることを指示する停止キー（リターンキー２５３の代用キー）２７９を必要回数押下すると、設定モードが終了して、ステップＳ１のループ動作に移行する。
【００５４】
以上で設定時の動作についての説明を終了する。そして、いま、視聴したいチャンネルが受信されているとする。この状態において、録画キー２７５を押下すると、動作は、ステップＳ１，Ｓ２，Ｓ１１，Ｓ１２と移行する。このときでは、録画のフォーマットは、第２のリモコン２２を用いて設定したフォーマットによって録画される。すなわち、現在受信中の番組が、ＤＶＤ１１に、ＶＲモードによって録画される。
【００５５】
また、第１のリモコン２１によって設定可能であるが、第２のリモコン２２による設定からは省かれた設定項目のうち、初期値に汎用的な値が設定された設定項目については、第１のリモコン２１による設定は無視され、初期値が設定される。このため、自動的に挿入されるチャプタの区切り時間については、第１のリモコン２１によって１５分間隔となるように設定されているが、この設定は無視されて、初期値である１０分間隔が設定される。また、録画時のビットレートを指示する録画速度についても、同様となっており（第２のリモコン２２による設定からは省略された設定項目となっている）、第１のリモコン２１による設定は無視されて、初期値であるＳＰモード（ＤＶＤに２時間の番組を録画することが可能なモード）に設定される。
【００５６】
そして後、録画キー２７５の押下に対応する動作である録画が開始される（ステップＳ１３）。従って、この録画においては、ＶＲモードによる録画となり、且つ、録画速度もＳＰモードとなる。また、チャプタの区切りは、１０分間隔でもって、自動的に挿入される。
【００５７】
また、第２のリモコン２２の再生キー２７８を押下したときも同様となり、再生に関連する設定項目のうち、第２のリモコン２２によって設定可能な設定項目については、第２のリモコン２２によって設定された値が使用される。また、第１のリモコン２１によって設定可能であるが、第２のリモコン２２による設定からは省かれた設定項目のうち、初期値に汎用的な値が設定された設定項目については、第１のリモコン２１による設定は無視され、初期値が設定される。
【００５８】
一方、視聴したいチャンネルが受信されている状態において、第１のリモコン２１の録画キー２４５を押下したときでは、動作は、ステップＳ１，Ｓ２，Ｓ１１，Ｓ１８と移行する。従って、このときでは、設定モードにおいて設定可能な設定項目の全てについては、第１のリモコン２１によって設定された値が使用される（設定されていない設定項目については、初期値が設定される）。従って、録画のフォーマットが、第１のリモコン２１によってＶＲモードに設定されているときでは、第２のリモコン２２による録画フォーマットの設定がビデオモードとなっているときであっても、録画のフォーマットはＶＲモードに設定される。
【００５９】
そして後、録画キー２４５の押下に対応する動作である録画が開始される（ステップＳ１３）。従って、この録画においては、ＶＲモードによる録画となる。且つ、録画速度も、第１のリモコン２１によって設定された速度となる。従って、予め、第１のリモコン２１により設定された録画速度がＳＰモードであるときには、録画速度はＳＰモードとなり、予め、第１のリモコン２１により設定された録画速度がＸＰモードであるときには、録画速度はＸＰモードとなる。また、チャプタの区切りも、第１のリモコン２１によって予め設定された時間間隔である１５分間隔でもって、自動的に挿入される。
【００６０】
また、第１のリモコン２１の再生キー２４８を押下したときも同様となり、再生に関連する設定項目については、第１のリモコン２１によって設定された値が使用される。また、第１のリモコン２１のその他のキースイッチが押下されたときも同様となり、設定可能な項目の値については、第１のリモコン２１によって設定された値が使用される。
【００６１】
以上説明したように、第１のリモコン２１については、従来から用いられているものと同じとすることができ、変更の必要がないという効果が得られている。また、第２のリモコン２２を使用するときでは、リモコンの複雑な機能、ボタン配置を覚える必要がなく、簡単な操作で機器が扱えるようになるという効果が得られている。また、２つのリモコンが同梱されるので、どちらか一方のリモコンを操作できない状態となるときでも、最少限の操作が保証されるという効果が得られている。
【００６２】
以下に補足的な説明を行うと、第１のリモコン２１と第２のリモコン２２との双方によって設定が可能な設定項目については、第２のリモコン２２を使用するときでは、第２のリモコン２２によって設定された値が用いられ、第１のリモコン２１を使用するときでは、第１のリモコン２１によって設定された値が用いられるようになっている。すなわち、第１のリモコン２１を使用する場合と、第２のリモコン２２を使用する場合とで、互いに異なる設定値とすることができるようになっている。
【００６３】
なお、本発明は上記実施形態に限定されず、ＤＶＤレコーダに適用した場合について説明したが、その他のリモートコントローラを使用する装置として、例えば、ＨＤＤレコーダ、ＤＶＤレコーダ一体型ＨＤＤレコーダ、あるいは、テレビ受像機、等の場合にも、同様に適用することができる。
【００６４】
また、第１のリモコンに設けるキースイッチの種類や、第２のリモコンに設けるキースイッチの種類についても、第２のリモコンに設けられるキースイッチの数が、第１のリモコンに設けられるキースイッチの数より少なくなる限りでは、その他の組み合わせとすることができる。
【００６５】
また、第２のリモコン２２において、決定キーやリターンキーの代用となるキースイッチについては、その他のキースイッチとすることができる。
【図面の簡単な説明】
【００６６】
【図１】本発明に係るリモートコントロール装置の一実施形態が適用されたＤＶＤレコーダの電気的構成を示すブロック線図である。
【図２】本発明に係るリモートコントロール装置の一実施形態であるＤＶＤレコーダに使用される第１のリモートコントローラを示す説明図である。
【図３】本発明に係るリモートコントロール装置の一実施形態であるＤＶＤレコーダに使用される第２のリモートコントローラを示す説明図である。
【図４】第１のリモコンを用いて設定を行うときの画面である第１のリモコン対応画面の変化を示す説明図である。
【図５】選択肢の一覧を示す説明図である。
【図６】第２のリモコンを用いて設定を行うときの画面である第２のリモコン対応画面の変化を示す説明図である。
【図７】実施形態の主要動作を示すフローチャートである。
【符号の説明】
【００６７】
１  コントロール対象装置
２  再生手段
１１  記録媒体
１３  テレビ受像機（表示装置）
１８  リモコン対応画面表示手段
２１  第１のリモートコントローラ
２２  第２のリモートコントローラ
２７６  速戻しキー
２７７  速送りキー
【図１】
2006332866.tif 000003
【図２】
2006332866.tif 000004
【図３】
2006332866.tif 000005
【図４】
2006332866.tif 000006
【図５】
2006332866.tif 000007
【図６】
2006332866.tif 000008
【図７】
2006332866.tif 000009